(57)【要約】【課題】投影画面に対して直接的・視覚的な指示操作ができ、しかもプレゼンテーションの指示操作が簡易になる。【解決手段】指示棒２００は、先端部に光感知信号を発生する受光素子を設けかつ手元位置に操作ボタンを設ける。ノートパソコン１００は、プロジェクター３００を介して表示するスクリーン４００上にはマウスカーソルで選択・クリック可能なアイコン・ボタンをトレースし、指示棒側の操作ボタンの操作でアイコン・ボタンの表示を受光素子からの入力信号を受付け待機状態にし、入力信号を受付けたときのアイコン・ボタン位置へマウスカーソルを移動させる。  ボタンを奇数番号と偶数番号に振り分けとその一方のホワイトアウトの繰り返しで１つのボタンを特定すること、マウスカーソル位置に移動方向を指示できるトレースによってマウスカーソルを移動させることを含む。【選択図】  図１
2005267140.tif 000002
【特許請求の範囲】
【請求項１】
ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作装置であって、
前記指示棒は、先端部に光感知信号を発生する受光素子を設けかつ手元位置に操作ボタンを設け、
前記端末装置は、スクリーン上にはマウスカーソルで選択・クリック可能なアイコン・ボタンをトレースし、各アイコン・ボタンに番号をつけておき、操作ボタンの操作信号によって、全画面をブラックアウトし、ブラックアウト後にアイコン・ボタンを番号順に１フレーム毎にホワイトアウトさせ、前記受光素子より光感知の入力信号を受けたときにブラックアウトとホワイトアウトを停止し、該入力信号を受けた時点でホワイトアウトしていた位置へマウスカーソルを移動させる指示操作信号処理手段を備えたことを特徴とする指示操作装置。
【請求項２】
ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作装置であって、
前記指示棒は、先端部に光感知信号を発生する受光素子を設けかつ手元位置に操作ボタンを設け、
前記端末装置は、スクリーン上にはマウスカーソルで選択・クリック可能なアイコン・ボタンをトレースし、各アイコン・ボタンに番号をつけておき、前記操作ボタンの操作信号によって、全画面をブラックアウトし、ブラックアウト後、トレースしたアイコン・ボタンのうち奇数番号または偶数番号のボタンのみを１フレームホワイトアウトさせ、前記受光素子よりホワイトアウトの光感知の入力信号を受けたときに奇数番号または偶数番号のボタンに指示棒が当てられていると判断して奇数番号または偶数番号のボタン群に番号を振り直し、この番号振り直しの繰り返しによって１つのボタンを特定してその位置へマウスカーソルを移動させる指示操作信号処理手段を備えたことを特徴とする指示操作装置。
【請求項３】
ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作装置であって、
前記指示棒は、先端部に光感知信号を発生する受光素子を設けかつ手元位置に操作ボタンを設け、
前記端末装置は、スクリーン上のマウスカーソルを中心に一定範囲に表示したマーク内をブラックアウトさせ、ブラックアウトさせた範囲を４つのエリアに分割して各エリアを１フレーム毎にホワイトアウトさせ、前記受光素子よりホワイトアウトの光感知の入力信号を受けたときにホワイトアウトしていたエリアの中心へマウスカーソルを移動させる指示操作信号処理手段を備えたことを特徴とする指示操作装置。
【請求項４】
ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作方法であって、
前記指示棒は、先端部に光感知信号を発生する受光素子を設けかつ手元位置に操作ボタンを設け、
前記端末装置は、スクリーン上にはマウスカーソルで選択・クリック可能なアイコン・ボタンをトレースし、各アイコン・ボタンに番号をつけておき、操作ボタンの操作信号によって、全画面をブラックアウトし、ブラックアウト後にアイコン・ボタンを番号順に１フレーム毎にホワイトアウトさせ、前記受光素子より光感知の入力信号を受けたときにブラックアウトとホワイトアウトを停止し、該入力信号を受けた時点でホワイトアウトしていた位置へマウスカーソルを移動させる指示操作信号処理手順を備えたことを特徴とする指示操作方法。
【請求項５】
ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作方法であって、
前記指示棒は、先端部に光感知信号を発生する受光素子を設けかつ手元位置に操作ボタンを設け、
前記端末装置は、スクリーン上にはマウスカーソルで選択・クリック可能なアイコン・ボタンをトレースし、各アイコン・ボタンに番号をつけておき、前記操作ボタンの操作信号によって、全画面をブラックアウトし、ブラックアウト後、トレースしたアイコン・ボタンのうち奇数番号または偶数番号のボタンのみを１フレームホワイトアウトさせ、前記受光素子よりホワイトアウトの光感知の入力信号を受けたときに奇数番号または偶数番号のボタンに指示棒が当てられていると判断して奇数番号または偶数番号のボタン群に番号を振り直し、この番号振り直しの繰り返しによって１つのボタンを特定してその位置へマウスカーソルを移動させる指示操作信号処理手順を備えたことを特徴とする指示操作方法。
【請求項６】
ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作方法であって、
前記指示棒は、先端部に光感知信号を発生する受光素子を設けかつ手元位置に操作ボタンを設け、
前記端末装置は、スクリーン上のマウスカーソルを中心に一定範囲に表示したマーク内をブラックアウトさせ、ブラックアウトさせた範囲を４つのエリアに分割して各エリアを１フレーム毎にホワイトアウトさせ、前記受光素子よりホワイトアウトの光感知の入力信号を受けたときにホワイトアウトしていたエリアの中心へマウスカーソルを移動させる指示操作信号処理手順を備えたことを特徴とする指示操作方法。
【発明の詳細な説明】
【技術分野】
【０００１】
本発明は、プロジェクターで投影した画面上で位置指示等の各種操作をするための指示操作装置および指示操作方法に関する。
【背景技術】
【０００２】
近年、学会や会社内でのプレゼンテーションには、従来のスライドをＯＨＰ（オーバ・ヘッド・プロジェクタ）で投影する方式から、ノートパソコンの普及、投影技術の進歩等により、ノートパソコンとプロジェクターを組み合わせたプレゼンテーション方式へと急速に移行している。
【０００３】
これらのツールの出現により、プレゼンテーション資料は、よりカラフルになり、また写真やアニメーションが多用され、さらには３Ｄのグラフやチャートなどもインパクトを与える手段として活用され、プレゼンテーションの形態そのものを変えつつある。
【０００４】
しかし、機能が多極多様に成るほど、多くの操作が必要となり、発表者はノートパソコンと向き合う回数が必然的に多くなってしまう。プレゼンテーションの主役はあくまで話し手であり、話し手がノートパソコンの背後に隠れてしまい、聞き手からよく見えないという事態は望ましいものではない。
【０００５】
こういった事態を回避するための手段として、現在の技術ではコードレスマウスの使用、プロジェクターに付属したリモートコントローラのマウス機能の活用などが挙げられる。これらに共通している事は、どちらも通常のマウス操作を手元で行えるようにする事で、話し手がノートパソコンの前に常駐する必要性を無くすというものであり、別段プレゼンテーション用に特化した技術という訳ではない。
【０００６】
プレゼンテーション用に特化したものとして、指示具や指示棒で指し示す位置をコンピュータ側に自動取得するものがある。例えば、発表者が手にもつ指示具をプロジェクター上のカメラで撮影し、カメラ画像上の指示具の位置関係からスクリーン上にマーカを表示する遠隔座標入力装置がある（例えば、特許文献１参照）。他の例として、指示棒でスクリーンに接触した信号を無線送信し、この信号をスクリーンに端部に設けた受信機で受信し、コンピュータでは無線信号の送信と受信タイミングの差から指示棒の位置を算出し、指示棒の位置を検出する装置がある（例えば、特許文献２参照）。
【０００７】
本発明は、ノートパソコンとプロジェクターを組み合わせたプレゼンテーション方式に関して、より有効な環境を提供するものである。
【特許文献１】特開平１１−１４３６２９号公報
【特許文献２】特開２００１−２５５９９８号公報
【発明の開示】
【発明が解決しようとする課題】
【０００８】
前記のとおり、現在のプロジェクターによる投影時の画面操作は主に、ノートパソコンへの直接操作、コードレスマウスやプロジェクターに付属したリモートコントローラのマウス機能等による遠隔操作に限られている。ノートパソコンへの直接操作は、最も容易に、且つ特別な機材も必要とせずに行う事が出来るが、聞き手に向き合ってプレゼンテーションを進めることが出来ないという問題点が存在する。
【０００９】
次に、プロジェクターに付属したリモコンのマウス機能を利用する方法は、通常、学会等でプレゼンテーションを行う場合、発表者が持参するものはノートパソコンのみでプロジェクターは会場のものを使用するのが普通である。だがこの場合、例えそのプロジェクターにマウス機能を有したリモートコントローラが付属していたとしても、操作方法の知識が無いまま、発表中に思い通りの操作をすることは困難であると予測される。
【００１０】
最後に、コードレスマウスを使用した方法は、これはコードレスマウスを用意してしまえば、特にプロジェクターの機種などにも影響を受けずに思い通りの操作を行うことの出来る理想的な方法だと考えられるが、基本的には通常のマウス操作を手元で行えるようにしたものであって、プレゼンテーション手段として特化したものではない。
【００１１】
以上のことから考えると理想的な手段としては、投影した画面に対して直接的・視覚的な操作を行える方法が挙げられる。具体的な例としては、前記の特許文献１、２の方式があり、指示棒で指し示した位置の座標を特定し、ポインタを追従する技術が挙げられるが、いずれもプロジェクターへの特別な装置の取り付けが必要であったり、別途ビデオカメラを用意するなどの大掛かりな設備が必要なため普及にはいたっていない。
【００１２】
本発明の目的は、投影画面に対して直接的・視覚的な指示操作ができ、しかもプレゼンテーションの指示操作が簡易になる指示操作装置および方法を提供することにある。
【課題を解決するための手段】
【００１３】
本発明は、先端部に光感知信号を発生する受光素子を設けかつ手元位置に操作ボタンを設けた指示棒と、その指示操作信号処理手段としてのソフトウェアをノートパソコン等の端末装置に常駐させ、指示操作信号処理手段はプロジェクターを介して表示するスクリーン上にはマウスカーソルで選択・クリック可能なアイコン・ボタンをトレースまたはマウスカーソル位置にその移動方向を示すマークをトレースし、指示棒側の操作ボタンの操作でアイコン・ボタンまたはマークの表示を受光素子からの入力信号を受付け待機状態にし、入力信号を受付けたときのアイコン・ボタン位置またはマークが示す移動方向へマウスカーソルを移動させるようにしたもので、以下の装置および方法を特徴とする。
【００１４】
（１）ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作装置であって、
前記指示棒は、先端部に光感知信号を発生する受光素子を設けかつ手元位置に操作ボタンを設け、
前記端末装置は、スクリーン上にはマウスカーソルで選択・クリック可能なアイコン・ボタンをトレースし、各アイコン・ボタンに番号をつけておき、操作ボタンの操作信号によって、全画面をブラックアウトし、ブラックアウト後にアイコン・ボタンを番号順に１フレーム毎にホワイトアウトさせ、前記受光素子より光感知の入力信号を受けたときにブラックアウトとホワイトアウトを停止し、該入力信号を受けた時点でホワイトアウトしていた位置へマウスカーソルを移動させる指示操作信号処理手段を備えたことを特徴とする。
【００１５】
（２）ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作装置であって、
前記指示棒は、先端部に光感知信号を発生する受光素子を設けかつ手元位置に操作ボタンを設け、
前記端末装置は、スクリーン上にはマウスカーソルで選択・クリック可能なアイコン・ボタンをトレースし、各アイコン・ボタンに番号をつけておき、前記操作ボタンの操作信号によって、全画面をブラックアウトし、ブラックアウト後、トレースしたアイコン・ボタンのうち奇数番号または偶数番号のボタンのみを１フレームホワイトアウトさせ、前記受光素子よりホワイトアウトの光感知の入力信号を受けたときに奇数番号または偶数番号のボタンに指示棒が当てられていると判断して奇数番号または偶数番号のボタン群に番号を振り直し、この番号振り直しの繰り返しによって１つのボタンを特定してその位置へマウスカーソルを移動させる指示操作信号処理手段を備えたことを特徴とする。
【００１６】
（３）ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作装置であって、
前記指示棒は、先端部に光感知信号を発生する受光素子を設けかつ手元位置に操作ボタンを設け、
前記端末装置は、スクリーン上のマウスカーソルを中心に一定範囲に表示したマーク内をブラックアウトさせ、ブラックアウトさせた範囲を４つのエリアに分割して各エリアを１フレーム毎にホワイトアウトさせ、前記受光素子よりホワイトアウトの光感知の入力信号を受けたときにホワイトアウトしていたエリアの中心へマウスカーソルを移動させる指示操作信号処理手段を備えたことを特徴とする。
【００１７】
（４）ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作方法であって、
前記指示棒は、先端部に光感知信号を発生する受光素子を設けかつ手元位置に操作ボタンを設け、
前記端末装置は、スクリーン上にはマウスカーソルで選択・クリック可能なアイコン・ボタンをトレースし、各アイコン・ボタンに番号をつけておき、操作ボタンの操作信号によって、全画面をブラックアウトし、ブラックアウト後にアイコン・ボタンを番号順に１フレーム毎にホワイトアウトさせ、前記受光素子より光感知の入力信号を受けたときにブラックアウトとホワイトアウトを停止し、該入力信号を受けた時点でホワイトアウトしていた位置へマウスカーソルを移動させる指示操作信号処理手順を備えたことを特徴とする。
【００１８】
（５）ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作方法であって、
前記指示棒は、先端部に光感知信号を発生する受光素子を設けかつ手元位置に操作ボタンを設け、
前記端末装置は、スクリーン上にはマウスカーソルで選択・クリック可能なアイコン・ボタンをトレースし、各アイコン・ボタンに番号をつけておき、前記操作ボタンの操作信号によって、全画面をブラックアウトし、ブラックアウト後、トレースしたアイコン・ボタンのうち奇数番号または偶数番号のボタンのみを１フレームホワイトアウトさせ、前記受光素子よりホワイトアウトの光感知の入力信号を受けたときに奇数番号または偶数番号のボタンに指示棒が当てられていると判断して奇数番号または偶数番号のボタン群に番号を振り直し、この番号振り直しの繰り返しによって１つのボタンを特定してその位置へマウスカーソルを移動させる指示操作信号処理手順を備えたことを特徴とする。
【００１９】
（６）ノートパソコン等の端末装置から出力する画像情報をプロジェクターを介してスクリーン上に表示し、指示棒で指示する位置にマウスカーソルを移動させ、操作ボタンの操作でマウスカーソル位置の操作を指示する指示操作方法であって、
前記指示棒は、先端部に光感知信号を発生する受光素子を設けかつ手元位置に操作ボタンを設け、
前記端末装置は、スクリーン上のマウスカーソルを中心に一定範囲に表示したマーク内をブラックアウトさせ、ブラックアウトさせた範囲を４つのエリアに分割して各エリアを１フレーム毎にホワイトアウトさせ、前記受光素子よりホワイトアウトの光感知の入力信号を受けたときにホワイトアウトしていたエリアの中心へマウスカーソルを移動させる指示操作信号処理手順を備えたことを特徴とする。
【発明の効果】
【００２０】
以上のとおり、本発明によれば、先端部に光感知信号を発生する受光素子を設けかつ手元位置に操作ボタンを設けた指示棒と、その指示操作信号処理手段としてのソフトウェアをノートパソコン等の端末装置に常駐させ、指示操作信号処理手段はプロジェクターを介して表示するスクリーン上にはマウスカーソルで選択・クリック可能なアイコン・ボタンをトレースまたはマウスカーソル位置にその移動方向を示すマークをトレースし、指示棒側の操作ボタンの操作でアイコン・ボタンまたはマークの表示を受光素子からの入力信号を受付け待機状態にし、入力信号を受付けたときのアイコン・ボタン位置またはマークが示す移動方向へマウスカーソルを移動させるようにしたため、従来の指示棒で指し示した位置の座標を特定し、ポインタを追従する方式に比べて、プロジェクターへの特別な装置の取り付けや別途ビデオカメラを用意するなどの大掛かりな設備を不要にして、投影画面に対して直接的・視覚的な指示操作ができ、しかもプレゼンテーションの指示操作が簡易になる。
【発明を実施するための最良の形態】
【００２１】
（実施形態１）
図１に本発明のシステム全景を示す。１００はプレゼンテーション情報を格納する他に、プレゼンテーション用信号の入出力端末となるノートパソコン、２００は入力操作機構と受光素子を備えた指示棒であり、ノートパソコン１００に有線で接続される（詳細は後述する）。３００はノートパソコン１００より入力されたプレゼンテーション用画像情報を投影するプロジェクター、４００はスクリーンである。図に示すとおり、２００の指示棒以外は一般的なプロジェクターを用いたプレゼンテーションのシステムと同じであり、他には特別な装置を必要としない。
【００２２】
次に、本発明に係る２００の指示棒、ノートパソコン１００にインストールされ、指示棒からの指示操作信号処理を行うソフトウェア構成について説明する。
【００２３】
図２は指示棒の全景を示す。２０１，２０２，２０３は操作ボタン、２０４は指示棒の先端部に設けた受光素子で、装置自体はノートパソコン１００に接続される。この内、２０２，２０３は通常のマウスの左ボタン、右ボタンと同様の機能を有するものとし、２０１は後述する常駐型のソフトウェアにのみ有効な信号を発する為のボタンである。２０４の受光素子はある一定以上の強度の光を感知したときのみ信号を発するものとする。この２０４の受光素子は、指示棒内で光信号波形整形回路（電池電源）に接続し、一般に利用される光感知でオン・オフ信号を発生できるものであればよい。各操作ボタンの操作信号および受光素子の検出信号は、互いに独立して、または同じ信号線に載せられてノートパソコン１００に入力されるものとする。以上が２００の指示棒に求められる機能であり、これらは容易に実現可能である。
【００２４】
次に、常駐型のソフトウェア（指示操作信号処理手段）について説明する。このソフトウェアがもつ機能は、プロジェクターを介して表示するスクリーン上にはマウスカーソルで選択・クリック可能なアイコン・ボタンをトレースし、指示棒側の操作ボタンの操作でアイコン・ボタンの表示を受光素子からの入力信号を受付け待機状態にし、入力信号を受付けたときのアイコン・ボタン位置へマウスカーソルを移動させるようにしたもので、具体的には以下のとおりである。
【００２５】
・ＯＳ（オペレーティングシステム）上に常駐する。
【００２６】
・アクティブ状態のアプリケーションの、マウスカーソルで選択・クリック可能なアイコン・ボタンをトレースし、常駐ソフト内で番号をつける。具体例を挙げると、プレゼンテーションソフトなら、ページ送りボタン、ページ戻りボタンなど。
【００２７】
・操作ボタン２０１の押下信号によって、全画面をブラックアウトさせる。
【００２８】
・ブラックアウト後、トレースしたアイコン・ボタンを番号順に１フレーム（一般的なパソコンの両面のリフレッシュレートは６０Ｈｚであり、１フレームは１／６０秒にあたる）ごとにホワイトアウトさせる。
【００２９】
・受光素子２０４より入力信号を受けた場合、ブラックアウト、ホワイトアウトを停止し、信号を受けた時点でホワイトアウトしていたポイントへマウスカーソルを移動させる。
【００３０】
以上の機能はソフトウェアのみで充分に実現可能である。図３、図４で実際の動作順序を説明する。
【００３１】
まず図３について説明する。４００はスクリーンであり（画面構成はノートパソコン１００のモニターと等価）、４０１はマウスカーソル、５００はアクティブ状態であるアプリケーションウインドウで、５０１〜５０４はそのアプリケーションを使用するためのアイコン・ボタンである。ここでは仮に起動しているアプリケーションはプレゼンテーション用ソフトであるとし、５０１〜５０４はページ送り用、ページ戻り用等のボタンであるとする。
【００３２】
図４を用いて操作指示手順例を説明する。
【００３３】
（ａ）指示棒の受光部分をクリックしたいポイントに当てる。（この時点で常駐ソフトウェアは、アプリケーションのアイコン・ボタンをトレース済みである。）
（ｂ）指示棒の２０１ボタンを押すことにより画面がブラックアウトする。
【００３４】
（ｃ）〜（ｅ）画面ブラックアウト後、５０１〜５０４が１フレーム毎にホワイトアウトする。
【００３５】
（ｆ）指示棒の受光部分がホワイトアウトを感知し信号を送る。
【００３６】
（ｇ）信号を受けた時点でホワイトアウトさせていた５０３へマウスカーソルが移動する。
【００３７】
以上の手順で動作し、カーソル移動後は指示棒の左クリックで所望の操作を行うことができ、投影画面に対して直接的・視覚的な操作が可能となる。
【００３８】
（実施形態２）
実施形態１の操作方法では、秒間最大６０のボタン操作しか判別できず、１番目と６０番目では応答速度に１秒の差が出てしまうなど操作に対する応答性の低下があり、指示操作性が悪くなす場合が生じる。この改善策として、本実施形態では、次の機能を備えたソフトウェア（指示操作信号処理手段）を提案する。
【００３９】
ａ．ＯＳ（オペレーティングシステム）上に常駐する。
【００４０】
ｂ．アクティブ状態のアプリケーションの、マウスカーソルで選択・クリック可能なアイコン・ボタンをトレースし、常駐ソフト内で番号をつける。具体例を挙げると、プレゼンテーションソフトなら、ページ送りボタン、ページ戻りボタンなど。
【００４１】
ｃ．操作ボタン２０１の押下信号によって、全画面をブラックアウトさせる。
【００４２】
ｄ．ブラックアウト後、トレースしたアイコン・ボタンのうち、奇数番号のボタンのみを１フレームホワイトアウトさせる。
【００４３】
ｅ．受光素子２０４より入力信号を受けた（ホワイトアウトを感知した）場合、奇数番号のボタンに指示棒が当てられていると判断し、感知しなかった場合は偶数番号のボタンに指示棒が当てられていると判断する。
【００４４】
ｆ．上記で判別したボタン群にのみ番号を振り直す。このとき対象となるボタン群は半減している。
【００４５】
ｇ．以後、ｄ〜ｆの処理を１つのボタンが特定するまで繰り返す。
【００４６】
以上のような処理により、１回の感知毎に対象となるボタン群は半減していき、番号群を０.１秒間（６フレーム）で６４（２6）のボタンが判別でき、指示したボタンによって応答速度にばらつきが出るなどの操作性の悪さが解消される。
【００４７】
（実施形態３）
実施形態１および実施形態２の操作方法はいずれもアプリケーションのボタン・アイコンにしか反応できない。本実施形態は、指示棒で指し示した位置をマウスカーソルが追従する機能を備えたソフトウェア（指示操作信号処理手段）を提案する。
【００４８】
ａ．ＯＳ（オペレーティングシステム）上に常駐する。
【００４９】
ｂ．操作ボタンの押下信号によって、マウスカーソルを中心に一定範囲に表示したマーク内をブラックアウトさせる。
【００５０】
ｃ．ブラックアウトさせた範囲を４つのエリアに分割する。
【００５１】
ｄ．各エリアを１フレーム毎にホワイトアウトさせる。
【００５２】
ｅ．受光素子２０４より入力信号を受けた（ホワイトアウトを感知した）場合、ホワイトアウトしていたエリアの中心へマウスカーソルを移動させる。感知しなかった場合はｄに戻る。
【００５３】
ｆ．マウスカーソルを移動後はｃ〜ｅを繰り返す。
【００５４】
以上の処理における表示手順は図５に示すようになり、（ａ）マウスカーソルが表示された状態で、（ｂ）マウスカーソルを中心にブラックアウト円を表示し、（ｃ）〜（ｆ）４つのエリアを１フレーム毎にホワイトアウトさせる。
【００５５】
本実施形態では、画面のリフレッシュレートが６０Ｈｚであるという制限がある以上、細かくすばやい追従は難しいが、ブラックアウト範囲を調節することによって、細かいが追従スピードの遅い設定と、追従スピードが速いが雑な設定を使い分けることも可能である。
【００５６】
（実施形態４）
実施形態１〜３では指示棒２００とノートパソコン１００間の接続を有線式としたが、利便性の向上を図るために無線式とする。無線方式の手段としてはＢ１ｕｅｔｏｏｔｈ等が考えられる。現在のコードレスマウスにもＢ１ｕｅｔｏｏｔｈによる無線方式が採用されているものもあり、本実施形態における指示棒も通常のマウスと機能的には大差ないため、容易に実現可能であると。
【００５７】
この無線式を実現することによって、ノートパソコン１００から１０ｍ程度の範囲での移動が可能となり、プレゼンテーション作業において多大なメリットが得られる。
【００５８】
図６に無線式にしたシステムの全景図を示す。ノートパソコン１００と指示棒６００の間を無線式にする以外は実施形態１と同様である。図７に無線式指示棒の概略図を示す。６０１〜６０４は、２０１〜２０４と同様で、新たに６０５の電池内蔵式の無線ユニットを取り付ける。この場合、電池は受光素子の波形整形回路用電池と併用することもできる。
【図面の簡単な説明】
【００５９】
【図１】本発明の実施形態１を示すシステム全景図。
【図２】実施形態１における指示棒の概略図。
【図３】実施形態１におけるスクリーンの画面構成例。
【図４】実施形態１における動作順序例。
【図５】実施形態３における表示手順例。
【図６】本発明の実施形態４を示すシステム全景図。
【図７】実施形態４における無線式指示棒の概略図。
【符号の説明】
【００６０】
１００  ノートパソコン
２００、６００  指示棒
３００  プロジェクター
４００  スクリーン
２０１〜２０３、６０１〜６０３  操作ボタン
２０４、６０４  指示棒の先端部に設けた受光素子
６０５  無線ユニット
【図１】
2005267140.tif 000003
【図２】
2005267140.tif 000004
【図３】
2005267140.tif 000005
【図４】
2005267140.tif 000006
【図５】
2005267140.tif 000007
【図６】
2005267140.tif 000008
【図７】
2005267140.tif 000009